(57)【要約】【課題】光源からの光を集中させ、エネルギーの吸収を抑えてエネルギー効率を高める上で優れ、光源からの光がより遠くまでとどき、均一な明るさで照らし出すことを可能ならしめるランプシェードを提供する【解決手段】ランプシェードを形成する本体が、光源からの光が進行していく側に形成されている、上辺とこれに対向する下辺、当該上辺及び下辺にそれぞれ直交する右側辺及び左側辺からなる長方形状の開口を備えているとともに、当該長方形状の開口部の前記上辺及び下辺から、光源からの光が進行していく方向と逆方向に向かって断面が放物線となるように凸湾している反射面を備えているランプシェード。【選択図】図１
2008305779.tif 000002
【特許請求の範囲】
【請求項１】
ランプシェードを形成する本体が、
光源からの光が進行していく側に形成されている、上辺とこれに対向する下辺、当該上辺及び下辺にそれぞれ直交する右側辺及び左側辺からなる長方形状の開口を備えているとともに、
当該長方形状の開口部の前記上辺及び下辺から、光源からの光が進行していく方向と逆方向に向かって断面が放物線となるように凸湾している反射面を備えている
ことを特徴とするランプシェード。
【請求項２】
前記反射面は、断面が凸湾している複数の湾曲部が互いに隣設されて形成されていることを特徴とする請求項１記載のランプシェード。
【請求項３】
前記湾曲部は断面が波の形をしていることを特徴とする請求項２記載のランプシェード。
【請求項４】
ランプシェードの右側壁及び左側壁は、それぞれ、前記長方形状の開口部の右側辺及び左側辺から、前記反射面の、光源からの光が進行していく方向と逆方向に向かう凸湾部に向けて、ランプシェードの内側に傾斜して形成されている
ことを特徴とする請求項１乃至３のいずれか一項記載のランプシェード。
【請求項５】
反射面の表面がめっきされていることを特徴とする請求項１乃至４のいずれか一項記載のランプシェード。
【請求項６】
反射面の表面が金属製の膜であることを特徴とする請求項１乃至４のいずれか一項記載のランプシェード。
【請求項７】
反射面の表面に紫外線膜が形成されていることを特徴とする請求項１乃至４のいずれか一項記載のランプシェード。
【請求項８】
反射面の表面にコールドライト膜が形成されていることを特徴とする請求項１乃至４のいずれか一項記載のランプシェード。
【請求項９】
ランプシェードを形成する本体がガラス製であることを特徴とする請求項１乃至８のいずれか一項記載のランプシェード。
【発明の詳細な説明】
【技術分野】
【０００１】
この発明は、ランプシェードに関し、特に、室内外における照明のランプシェードに関する。
【背景技術】
【０００２】
従来、照明用の各種のランプシェードの外形は、その殆どが半球形、半楕円球形、あるいは円錐台形などであった。そして、従来、照明用の各種のランプシェードは、金属、合成樹脂、布（例えば、織物）などによって作られていた。
【０００３】
また、ランプシェードの反射面に白い漆、エナメルなどが被覆されているものもあった。
【０００４】
これらの照明用のランプシェードの目的は、光源からの光を一定の方向に集中させることにあった。
【０００５】
しかし、目的とするところに光源からの光を集中させたり、エネルギーの吸収を抑えてエネルギー効率を高める上では改善すべき余地があった。
【０００６】
特に、街灯に用いられるランプシェードに関しては、道路を通行する人々や自動車の運転手などにとって都合が良いように、光源からの光がより遠くまで届き、また均一な明るさで照らし出すことを可能ならしめるランプシェードの開発が求められている。
【特許文献１】特開平９−２１３１１１号公報
【特許文献２】特開２００４−３４２５０８号公報
【発明の開示】
【発明が解決しようとする課題】
【０００７】
この発明は、光源からの光を集中させたり、エネルギーの吸収を抑えてエネルギー効率を高める上で優れているランプシェードを提供すること、特に、街灯に用いられるランプシェードであって、道路を通行する人々や自動車の運転手などにとって都合が良いように、光源からの光がより遠くまでとどき、また均一な明るさで照らし出すことを可能ならしめるランプシェードを提供することを目的にしている。
【課題を解決するための手段】
【０００８】
前記目的を達成するため、本発明が提案するランプシェードは次の通りのものである。
【０００９】
請求項１：
ランプシェードを形成する本体が、
光源からの光が進行していく側に形成されている、上辺とこれに対向する下辺、当該上辺及び下辺にそれぞれ直交する右側辺及び左側辺からなる長方形状の開口を備えているとともに、
当該長方形状の開口部の前記上辺及び下辺から、光源からの光が進行していく方向と逆方向に向かって断面が放物線となるように凸湾している反射面を備えている
ことを特徴とするランプシェード。
【００１０】
請求項２：
前記反射面は、断面が凸湾している複数の湾曲部が互いに隣設されて形成されていることを特徴とする請求項１記載のランプシェード。
【００１１】
請求項３：
前記湾曲部は断面が波の形をしていることを特徴とする請求項２記載のランプシェード。
【００１２】
請求項４：
ランプシェードの右側壁及び左側壁は、それぞれ、前記長方形状の開口部の右側辺及び左側辺から、前記反射面の、光源からの光が進行していく方向と逆方向に向かう凸湾部に向けて、ランプシェードの内側に傾斜して形成されている
ことを特徴とする請求項１乃至３のいずれか一項記載のランプシェード。
【００１３】
請求項５：
反射面の表面がめっきされていることを特徴とする請求項１乃至４のいずれか一項記載のランプシェード。
【００１４】
請求項６：  
反射面の表面が金属製の膜であることを特徴とする請求項１乃至４のいずれか一項記載のランプシェード。
【００１５】
請求項７：  
反射面の表面に紫外線膜が形成されていることを特徴とする請求項１乃至４のいずれか一項記載のランプシェード。
【００１６】
請求項８：  
反射面の表面にコールドライト膜が形成されていることを特徴とする請求項１乃至４のいずれか一項記載のランプシェード。
【００１７】
請求項９：  
ランプシェードを形成する本体がガラス製であることを特徴とする請求項１乃至８のいずれか一項記載のランプシェード。
【発明の効果】
【００１８】
この発明によれば、光源からの光を集中させたり、エネルギーの吸収を抑えてエネルギー効率を高める上で優れているランプシェードを提供することができる。
【００１９】
特に、街灯に用いられるランプシェードであって、道路を通行する人々や自動車の運転手などにとって都合が良いように、光源からの光がより遠くまでとどき、また均一な明るさで照らし出すことを可能ならしめるランプシェードを提供することができる。
【００２０】
本発明のランプシェードによれば、明るさをアップさせ、約４０％の省エネルギーを図ることができる。
【発明を実施するための最良の形態】
【００２１】
以下、添付図面を参照して本発明の好ましい実施形態を説明する。
【００２２】
本発明のランプシェード１００を形成する本体は、ガラス製であって、図１、図２図示のように、光源からの光が進行していく側（図２において左側）に開口を備えている。
【００２３】
この開口は、図１図示のように、上辺１０３とこれに対向する下辺１０４、上辺１０３及び下辺１０４にそれぞれ直交する右側辺１０６及び左側辺１０５からなる長方形状の開口である。すなわち、下辺１０４及び上辺１０３の方が、右側辺１０６及び左側辺１０５より長い長方形状の開口である。
【００２４】
そして、本発明のランプシェード１００を形成するガラス製の本体は、前述した長方形状の開口部の上辺１０３及び下辺１０４から、光源からの光が進行していく方向と逆方向（図２において右側方向）に向かって断面が放物線となるように凸湾している反射面１０２を備えている。
【００２５】
反射面１０２は、図４図示のように、断面が凸湾している複数の湾曲部１０７ａ、１０７ｂ、１０７ｃ、１０７ｄ、１０７ｅが互いに隣設されて形成されている。
【００２６】
この湾曲部１０７ａ、１０７ｂ、１０７ｃ、１０７ｄ、１０７ｅは、図１図示のように、互いに隣接して平行に延びる突条となる。
【００２７】
すなわち、反射面１０２は、断面が、図４図示のように、凸湾していて、隣接して、互いに平行に、すなわち、長方形状の開口の長辺である下辺１０４及び上辺１０３と平行に、右側辺１０６と左側辺１０５との間を延びる複数の突条１０７ａ、１０７ｂ、１０７ｃ、１０７ｄ、１０７ｅによって形成されることになる。
【００２８】
前記の湾曲部１０７ａ、１０７ｂ、１０７ｃ、１０７ｄ、１０７ｅは、断面が凸湾する波の形になるようにすることができる。
【００２９】
また、ランプシェード１００の右側壁１０１ｂ及び左側壁１０１ａは、それぞれ、前述した長方形状の開口部の右側辺１０６及び左側辺１０５から、反射面１０２の、光源からの光が進行していく方向と逆方向（図２において右側方向、図３において下側方向）に向かう凸湾部１０８に向けて、図３図示のように、ランプシェード１００の内側に傾斜して形成されている。
【００３０】
右側壁１０１ｂ、左側壁１０１ａには、図１、図２、図３に図示されているように、それぞれ透孔が形成されており、この透孔を介して光源、例えば、ランプがランプシェード１００の中に挿入される。
【００３１】
本発明のランプシェード１００は、図１〜図４に図示し、以上に説明したように、ランプシェード１００を形成するガラス製の本体が、光源からの光が進行していく側（図２中、左側）に形成されている、上辺１０３とこれに対向する下辺１０４、上辺１０３及び下辺１０４にそれぞれ直交する右側辺１０６及び左側辺１０５からなる長方形状の開口を備え、当該長方形状の開口部の上辺１０３及び下辺１０４から、光源からの光が進行していく方向と逆方向（図２中、右側方向）に向かって、図２図示のように、断面が放物線となるように凸湾している反射面１０２を備えている。
【００３２】
また、反射面１０２は、図４図示のように、断面が凸湾する複数の湾曲部１０７ａ、１０７ｂ、１０７ｃ、１０７ｄ、１０７ｅが互いに隣設されて形成されている。
【００３３】
すなわち、反射面１０２は、断面が、図４図示のように、凸湾していて、隣接して、互いに平行に、すなわち、長方形状の開口の長辺である下辺１０４及び上辺１０３と平行に、右側辺１０６と左側辺１０５との間を延びる複数の突条１０７ａ、１０７ｂ、１０７ｃ、１０７ｄ、１０７ｅによって形成されている。
【００３４】
そこで、長方形状の開口部の上辺１０３及び下辺１０４から、光源からの光が進行していく方向と逆方向（図２中、右側方向）に向かって、図２図示のように、断面が放物線となるよう凸湾している反射面１０２を形成する前記複数の隣設されている湾曲部１０７ａ、１０７ｂ、１０７ｃ、１０７ｄ、１０７ｅにおける反射の角度による光の反射の原理を利用して、反射面１０２によって反射された光源からの光を効果的に集中させ、しかも、開口が前述したように上辺１０３及び下辺１０４の方が、右側辺１０６及び左側辺１０５より長い長方形状であることから、光源からの光がいきわたる面積を従来のランプシェードの場合より広げ、光源からの光をより遠くまでとどかせ、また均一な明るさで照らし出すことが可能になる。
【００３５】
そこで、同一の光源を使用し、ランプシェードを従来のものから本願発明のランプシェード１００に替えるだけで、明るさをアップさせ、約４０％の省エネルギーを図ることができる。
【００３６】
また、ランプシェード１００の右側壁１０１ｂ及び左側壁１０１ａが、それぞれ、前述した長方形状の開口部の右側辺１０６及び左側辺１０５から、反射面１０２の、光源からの光が進行していく方向と逆方向（図２において右側方向、図３において下側方向）に向かう凸湾部１０８に向けて、図３図示のように、ランプシェード１００の内側に傾斜して形成されていることにより、本発明のランプシェード１００が使用されている光源の光によって、目がくらむことを防止できる。すなわち、本発明のランプシェード１００は、光源からの光を、人の眼をくらませたりすることのない、優しい光にするものである。
【００３７】
以上の本発明のランプシェード１００において、反射面１０２の表面、すなわち、光源からの光が進行していく方向（図２において左側方向）に向かう面は、めっきされているものにすることができる。
【００３８】
また、前述した反射面１０２の表面は、金属製の膜、又は、紫外線膜、若しくは、コールドライト膜にすることができる。
【００３９】
このような金属製の膜、紫外線膜（すなわち、紫外線を出すようにするための膜）、コールドライト膜（すなわち、コールドライト（Cold Light）システムとするための膜）は、蒸着方法などにより、ランプシェード１００のガラス製本体の反射面１０２の表面に形成することができる。
【００４０】
以上に説明し、図１〜図４に図示したように、本発明の特徴は、図１〜図４に図示し、以上に説明した形状・構造のランプシェード１００の本体をガラス製とした点にある。従来、ランプシェードの本体はアルミニウムなどによって形成されるのが一般的であったが、本発明においては、これをガラス製としているのである。
【図面の簡単な説明】
【００４１】
【図１】本発明のランプシェードを、光源からの光が進行していく側から、光源からの光が進行していく方向と逆方向に向かって見たときの正面図。
【図２】図１のＡ‐Ａ線断面図。
【図３】図１のＢ‐Ｂ線断面図。
【図４】図２の一部を拡大して表した断面図。
【符号の説明】
【００４２】
１００  ランプシェード
１０３  上辺
１０４  下辺
１０６  右側辺
１０５  左側辺
１０２  反射面
１０７ａ、１０７ｂ、１０７ｃ、１０７ｄ、１０７ｅ  湾曲部
１０１ｂ  右側壁
１０１ａ  左側壁
１０８  凸湾部
【図１】
2008305779.tif 000003
【図２】
2008305779.tif 000004
【図３】
2008305779.tif 000005
【図４】
2008305779.tif 000006